(57)【要約】  正面視長方形状の前面パネル部及び前面パネル部の長手方向に沿う一方の縁部から背面方向に突出したフランジ部を有する樹脂製の意匠パネルと、意匠パネルの中央部を跨いで前面パネル部の長手方向に延伸する形状を有し、前面パネル部の背面とフランジ部の内面とに接する状態で意匠パネルに固定された補強部材と、を備える空気調和機の室内機。
2017022133.tif 000002
【特許請求の範囲】
【請求項１】
正面視長方形状の前面パネル部及び前記前面パネル部の長手方向に沿う一方の縁部から背面方向に突出したフランジ部を有する樹脂製の意匠パネルと、
前記意匠パネルの中央部を跨いで前記前面パネル部の長手方向に延伸する形状を有し、前記前面パネル部の背面と前記フランジ部の内面とに接する状態で前記意匠パネルに固定された補強部材と、を備える空気調和機の室内機。
【請求項２】
前記前面パネル部は、背面に、前記補強部材の一端部及び他端部をそれぞれ支持し、かつ前記補強部材の位置を規制する少なくとも２つのパネル側規制固定ツメを有し、
前記フランジ部は、内面に、前記補強部材の当該フランジ部側の縁部を支持する少なくとも１つのフランジ側固定ツメを有する請求項１に記載の空気調和機の室内機。
【請求項３】
前記前面パネル部は、背面に、前記補強部材の当該前面パネル部側の縁部を支持する少なくとも１つのパネル側固定ツメを有し、
前記フランジ部は、内面に、前記補強部材の一端部及び他端部をそれぞれ支持し、かつ前記補強部材の位置を規制する少なくとも２つのフランジ側規制固定ツメを有する請求項１に記載の空気調和機の室内機。
【請求項４】
前記前面パネル部は、背面に、前記補強部材の一端部及び他端部をそれぞれ支持し、かつ前記補強部材の位置を規制する２つのパネル側規制固定ツメを有し、
前記フランジ部は、内面に、前記補強部材の一端部及び他端部をそれぞれ支持し、かつ前記補強部材の位置を規制する少なくとも２つのフランジ側規制固定ツメを有する請求項１に記載の空気調和機の室内機。
【請求項５】
前記前面パネル部は、背面に、前記補強部材の当該前面パネル部側の縁部を支持する少なくとも１つのパネル側固定ツメを有し、
前記フランジ部は、内面に、前記補強部材の当該フランジ部側の縁部を支持する少なくとも１つのフランジ側固定ツメを有する請求項４に記載の空気調和機の室内機。
【請求項６】
前記意匠パネルは、前記補強部材の一端部及び他端部のそれぞれに隣接する位置に、前記前面パネル部の背面と前記フランジ部の内面とにまたがって突出する２つの接触防止壁を有する請求項１〜５の何れか一項に記載の空気調和機の室内機。
【請求項７】
前記意匠パネルは、
前記補強部材の一端部側の前記パネル側規制固定ツメと前記フランジ側規制固定ツメとをつなぎ、前記前面パネル部の背面及び前記フランジ部の内面から突出する一端接触防止壁と、
前記補強部材の他端部側の前記パネル側規制固定ツメと前記フランジ側規制固定ツメとをつなぎ、前記前面パネル部の背面及び前記フランジ部の内面から突出する他端接触防止壁と、を有する請求項４又は５に記載の空気調和機の室内機。
【請求項８】
前記補強部材は、金属製であり、前記前面パネル部側の縁部及び前記フランジ部側の縁部のうちの少なくとも一方に密着曲げ加工が施されている請求項１〜７の何れか一項に記載の空気調和機の室内機。
【請求項９】
前記補強部材は、前記前面パネル部の背面と前記フランジ部の内面とのなす角度に応じた断面Ｌ字状となるように形成されている請求項１〜８の何れか一項に記載の空気調和機の室内機。
【請求項１０】
前記意匠パネルには、前記前面パネル部の背面及び前記フランジ部の内面のうちの少なくとも一方に、前記補強部材の少なくとも一部が収まる凹状の溝部が設けられている請求項１〜９の何れか一項に記載の空気調和機の室内機。
【請求項１１】
前記補強部材の長手方向の長さは、前記前面パネル部の長手方向の長さの７０パーセント以上となるように形成されている請求項１〜１０の何れか一項に記載の空気調和機の室内機。
【請求項１２】
前記前面パネル部の長手方向は、前記前面パネル部の左右方向であり、
前記前面パネル部の長手方向に沿う一方の縁部は、前記前面パネル部の長手方向に沿う下方の縁部である請求項１〜１１の何れか一項に記載の空気調和機の室内機。
【発明の詳細な説明】
【技術分野】
【０００１】
本発明は、樹脂製の意匠パネルを備えた空気調和機の室内機に関する。
【背景技術】
【０００２】
近年の空気調和機は、性能改善により、年々大型化の傾向にある。空気調和機の大型化に伴い、例えば室内機の前面側に設けられる意匠パネルも大型化されている。【０００３】
従来から、室内機には、樹脂製の意匠パネルが設けられている（例えば、特許文献１参照）。特許文献１の意匠パネルは、背面上部に立設された軸アームを軸として回動し、背面側下部に設けられた係止突起により前面枠に固定されるものである。
【先行技術文献】
【特許文献】
【０００４】
【特許文献１】特開２０１２−１６３３０７号公報
【発明の概要】
【発明が解決しようとする課題】
【０００５】
しかしながら、意匠パネルは、樹脂によって形成されるため、剛性が低く、長手方向に反りやすくなっている。すなわち、特許文献１のような正面視長方形状の意匠パネルは、長手方向の中央部が、反りの影響を最も受けやすく、かつ剛性の低下する箇所となる。【０００６】
また、意匠パネルの内面下部には、長手方向に沿う一端側、中央部、及び他端側のそれぞれに、室内機の基台へ固定するための係止突起が設けられている。そして、長手方向に反りが生じた意匠パネルは、両端側の係止突起を嵌め込んだだけでは中央部の係止突起が嵌まらず、中央が浮いた状態となり、無理に中央部の係止突起を嵌め込んだとしても、意匠パネルが撓んだ状態となるため、外観の意匠性が損なわれる。【０００７】
本発明は、上記のような課題を解決するためになされたものであり、剛性が高く且つ意匠性に優れた意匠パネルを備えた空気調和機の室内機を提供することを目的とする。
【課題を解決するための手段】
【０００８】
本発明に係る空気調和機の室内機は、正面視長方形状の前面パネル部及び前面パネル部の長手方向に沿う一方の縁部から背面方向に突出したフランジ部を有する樹脂製の意匠パネルと、意匠パネルの中央部を跨いで前面パネル部の長手方向に延伸する形状を有し、前面パネル部の背面とフランジ部の内面とに接する状態で意匠パネルに固定された補強部材と、を備えるものである。
【発明の効果】
【０００９】
本発明は、意匠パネルの中央部を跨いで長手方向に延伸する形状の補強部材が、意匠パネルに、前面パネル部の背面とフランジ部の内面とに接する状態で固定されているため、意匠パネルの剛性を高めると共に、意匠パネル及び室内機の外観の意匠性を向上させることができる。
【図面の簡単な説明】
【００１０】
【図１】本発明の実施の形態１に係る空調調和機の室内機の外観を示す斜視図である。
【図２】図１のＡ−Ａ線に沿った室内機の概略断面図である。
【図３】図１のＢ−Ｂ線に沿った意匠パネル及び風向調整板の概略断面図である。
【図４】図１の意匠パネルに補強部材を固定する前の背面を示す分解斜視図である。
【図５】図４のＣ−Ｃ線に沿った断面のうち、フランジ部側を示す部分概略断面図である。
【図６】図１の意匠パネルに補強部材を固定した後の状態を示す背面斜視図である。
【図７】図６に示す補強部材の一端部の周辺部分を拡大した説明図である。
【図８】意匠パネルが他端接触防止壁を有する場合の、図６に示す補強部材の他端部の周辺部分を拡大した説明図である。
【図９】意匠パネルが他端接触防止壁を有しない場合の、図６に示す補強部材の他端部の周辺部分を拡大した説明図である。
【図１０】図６のＤ−Ｄ線に沿った意匠パネル及び補強部材の概略断面図である。
【図１１】図１０に示す補強部材の周辺部分を拡大した説明図である。
【発明を実施するための形態】
【００１１】
実施の形態１．
図１は、本発明の実施の形態１に係る空調調和機の室内機１００の外観を示す斜視図である。図２は、図１のＡ−Ａ線に沿った室内機１００の概略断面図である。以下、図１及び図２に基づいて、室内機１００の構成を説明する。ここで、図１及び図２に示すｘ軸正側を、室内機１００の前面側とする。また、室内機１００は、正面視長方形状であることから、ｙ軸方向を長手方向とし、ｚ軸方向を短手方向とする。
【００１２】
室内機１００は、冷媒を循環させる冷凍サイクルを利用することで、室内等の空調対象域に空調空気を供給するものである。室内機１００は、例えば室内の壁面に設けられる壁掛け式の室内機であり、基台１０と、意匠パネル２０と、補強部材３０と、風向調整板４０と、プロペラファン５０と、ファンモータ６０と、ベルマウス７０と、フィルター組立体８０と、熱交換器９０と、を有している。
【００１３】
室内機１００の外殻を構成する基台１０は、室内空気を内部に吸い込むための吸込口１１と、空調空気を空調対象域に供給するための吹出口１２と、を有している。吸込口１１は、基台１０の上部に開口形成されている。吹出口１２は、基台１０の下部の前面側に開口形成されている。また、基台１０の内部には、吸込口１１と吹出口１２とを連通する風路が形成されている。
【００１４】
意匠パネル２０は、室内機１００の前面側に設けられ、正面視において長方形状をなしている。すなわち、意匠パネル２０は、短手方向の縁部よりも長手方向の縁部の方が長い矩形状をなしている。補強部材３０は、意匠パネル２０に固定され、意匠パネル２０の剛性を高めるものである。
【００１５】
風向調整板４０は、意匠パネル２０と面一になる状態で、意匠パネル２０の下部に設けられている。風向調整板４０は、ｚ軸正側である上部を支点として回動し、吹出口１２から吹き出される空気の角度を調節するものである。
【００１６】
プロペラファン５０は、例えば軸流ファン又は斜流ファン等からなり、吸込口１１と吹出口１２とを連通する風路内に配設され、基台１０の内部に収納されている。より具体的に、プロペラファン５０は、吸込口１１の下流側で、かつ熱交換器９０の上流側に配設されている。プロペラファン５０は、吸込口１１から室内空気を吸い込み、吹出口１２から空調空気を吹き出すものである。ファンモータ６０は、例えばインバータ回路によって動作し、プロペラファン５０を駆動するものである。
【００１７】
ベルマウス７０は、プロペラファン５０の周囲を囲うように配設され、室内空気を基台１０の内部へ導くものである。フィルター組立体８０は、室内空気中の粉塵等を取り除くものである。熱交換器９０は、プロペラファン５０から吹出口１２までの風路に配設され、冷媒と室内空気とを熱交換させて空調空気を作り出すものである。
【００１８】
図３は、Ｂ−Ｂ線に沿った意匠パネル２０及び風向調整板４０の概略断面図である。図３に基づいて、室内機１００が有する意匠パネル２０及び風向調整板４０の具体的な構成を説明する。
【００１９】
意匠パネル２０は、樹脂によって形成された正面視長方形状の前面パネル部２１と、前面パネル部２１の長手方向に沿う一方の縁部から背面方向に突出したフランジ部２２と、を有している。また、意匠パネル２０は、背面の上部に設けられた複数の軸部２３と、背面の下部に設けられた複数の係止突起２４と、を有している。前面パネル部２１、フランジ部２２、複数の軸部２３、及び複数の係止突起２４は、樹脂により一体成形されている。
【００２０】
複数の軸部２３は、それぞれ、基台１０に設けられた複数の回転支持部１３に回動自在に嵌め込まれている。また、複数の係止突起２４は、それぞれ、基台１０に設けられた複数の係止突起受け部１４に嵌め込まれている。
【００２１】
本実施の形態における室内機１００は、後述する図４等に示すように、２つの軸部２３及び３つの係止突起２４と、これらに対応する２つの回転支持部１３及び３つの係止突起受け部１４と、を有している。３つの係止突起２４及び３つの係止突起受け部１４は、長手方向に沿って並んでいる。
【００２２】
なお、軸部２３及び回転支持部１３の数は、意匠パネル２０の円滑な回動が可能となるように、意匠パネル２０の長手方向の長さ等に応じて適宜変更するとよい。また、係止突起２４及び係止突起受け部１４の数も、意匠パネル２０の安定した固定状態を確保できるように、意匠パネル２０の長手方向の長さ等に応じて適宜変更するとよい。すなわち、室内機１００は、３つ以上の係止突起２４及び係止突起受け部１４を有していてもよい。
【００２３】
意匠パネル２０は、各軸部２３がそれぞれ、対応する各回転支持部１３に嵌め込まれることで、基台１０に取り付けられる。そして、意匠パネル２０は、各係止突起２４がそれぞれ、対応する各係止突起受け部１４に嵌め込まれることで、基台１０に固定される。また、意匠パネル２０は、各係止突起２４をそれぞれ各係止突起受け部１４から取り外し、各軸部２３をそれぞれ各回転支持部１３から取り外すことで、基台１０から取り外すことができる。
【００２４】
つまり、意匠パネル２０は、基台１０への取り付け及び取り外しが可能となっている。また、意匠パネル２０は、各軸部２３がそれぞれ各回転支持部１３に嵌め込まれることにより、上部を支点としての回動が可能な状態、すなわち、上部を支点としての開閉が可能な状態となる。
【００２５】
図４は、意匠パネル２０に補強部材３０を固定する前の背面を示す分解斜視図である。図５は、図４のＣ−Ｃ線に沿った断面のうち、フランジ部２２側を示す部分概略断面図である。図６は、意匠パネル２０に補強部材３０を固定した後の状態を示す背面斜視図である。図７は、図６に示す補強部材３０の一端部３１の周辺部分αを拡大した説明図である。図８は、意匠パネル２０が他端接触防止壁２８を有する場合の、図６に示す補強部材３０の他端部３２の周辺部分βを拡大した説明図である。図９は、意匠パネル２０が他端接触防止壁２８を有しない場合の、図６に示す補強部材３０の他端部３２の周辺部分βを拡大した説明図である。図４〜図９を参照して、補強部材３０を意匠パネル２０に固定する様子と、補強部材３０を固定する際に機能する各構成について詳細に説明する。
【００２６】
補強部材３０は、前面パネル部２１の中央部を跨いで長手方向に延伸する形状を有し、図４に示すように、意匠パネル２０の背面下部に配置され、図６に示す通り、前面パネル部２１の背面とフランジ部２２の内面とに接する状態で意匠パネル２０に取り付けられる。また、補強部材３０は、前面パネル部２１の背面とフランジ部２２の内面とに、長手方向の全域に亘って接する状態で固定されている。ここで、中央部とは、３つの係止突起２４のうちの真ん中の１つと、後述する周辺部分βｎのうちの中央の２つとを含む領域をいう。
【００２７】
補強部材３０は、金属製であり、前面パネル部２１の背面とフランジ部２２の内面とのなす角度に応じた断面Ｌ字状となるように形成されている。このように、補強部材３０の断面をＬ字状とすることで、意匠パネル２０の長手方向の反りに対する剛性を強めている。
【００２８】
ところで、意匠パネル２０は、補強部材３０が固定された状態で、ユーザにより取り外されて水洗いされることがある。このため、本実施の形態では、補強部材３０の材料として、錆びにくいステンレスを採用している。また、補強部材３０に採用するステンレス材の板厚は、重さ及び剛性等を考慮して０．６ｍｍとしている。
【００２９】
意匠パネル２０には、図５に示すように、前面パネル部２１の背面及びフランジ部２２の内面のうちの少なくとも一方に、補強部材３０の一部が収まる凹状の溝部２５が設けられている。意匠パネル２０に溝部２５を設けると、意匠パネル２０の肉厚が部分的に薄くなるため、その分、意匠パネル２０自体の剛性が弱まることになる。
【００３０】
しかし、意匠パネル２０に溝部２５を設けた場合は、室内機１００の内部スペースを、補強部材３０を収めるために有効利用することができる。また、溝部２５は、外観上、補強部材３０の固定位置を明示する要素となり、溝部２５の周囲に合わせて補強部材３０を円滑に嵌め込むことができるため、補強部材３０を固定する作業の簡素化を図ることができる。もっとも、溝部２５を設けることにより、意匠パネル２０自体の剛性が若干弱まったとしても、室内機１００は、長手方向に沿って延伸する形状の補強部材３０を備えているため、意匠パネル２０の剛性を十分に高めることができる。
【００３１】
なお、図５には、補強部材３０の一部が収まるサイズの溝部２５を例示しているが、溝部２５は、補強部材３０の周端面の全てを露出させない深さを有するようにしてもよい。このようにすれば、エンドユーザが意匠パネル２０の開閉又は取り外しを行う際に、金属製である補強部材３０のエッジに触れることがなくなるため、安全性を向上させることができる。
【００３２】
さらに、意匠パネル２０は、前面パネル部２１の内面と溝部２５の底面との段差を緩やかにする傾斜部２６を有している。傾斜部２６を設けた場合には、樹脂の急激な肉厚の変化を防ぐことができるため、溝部２５の長手方向に沿った境界が前面側に見えてしまうといった事態を回避することができる。
【００３３】
もっとも、意匠パネル２０は、溝部２５及び傾斜部２６を設けることなく、肉厚が一定のなるように形成してもよい。肉厚を変化させなければ、樹脂製の意匠パネル２０自体の剛性を保ったまま、補強部材３０により、意匠パネル２０の剛性を補填することができるため、より有効に反りを防止することができる。
【００３４】
図７及び図８に明示するように、前面パネル部２１は、背面に、補強部材３０の一端部３１及び他端部３２をそれぞれ支持し、かつ補強部材３０の位置を規制する２つのパネル側規制固定ツメ２１ａを有している。フランジ部２２は、内面に、補強部材３０の一端部３１及び他端部３２をそれぞれ支持し、かつ補強部材３０の位置を規制する２つのフランジ側規制固定ツメ２２ａを有している。
【００３５】
また、前面パネル部２１は、背面に、補強部材３０の前面パネル部２１側の縁部３３を支持する少なくとも１つのパネル側固定ツメ２１ｂを有している。フランジ部２２は、内面に、補強部材３０のフランジ部２２側の縁部３４を支持する少なくとも１つのフランジ側固定ツメ２２ｂを有している。
【００３６】
すなわち、補強部材３０は、意匠パネル２０の背面に設けられた２つのパネル側規制固定ツメ２１ａ及び少なくとも１つのパネル側固定ツメ２１ｂと、フランジ部２２の内面に設けられた２つのフランジ側規制固定ツメ２２ａ及び少なくとも１つのフランジ側固定ツメ２２ｂと、により固定される。
【００３７】
図８に示すパネル側固定ツメ２１ｂ及びフランジ側固定ツメ２２ｂの周辺部分βｎは、図６の周辺部分βｎに対応している。すなわち、本実施の形態における意匠パネル２０は、パネル側固定ツメ２１ｂ及びフランジ側固定ツメ２２ｂをそれぞれ４つずつ有している。
【００３８】
なお、パネル側固定ツメ２１ｂ及びフランジ側固定ツメ２２ｂの数は、意匠パネル２０の長手方向の長さに応じて、適宜増減させてもよい。加えて、パネル側固定ツメ２１ｂとフランジ側固定ツメ２２ｂとの位置関係は、図８の例に限定されるものではない。すなわち、例えば、パネル側固定ツメ２１ｂとフランジ側固定ツメ２２ｂとが、ｚ軸方向である短手方向に沿って並んでいてもよく、パネル側固定ツメ２１ｂとフランジ側固定ツメ２２ｂとの長手方向におけるズレが逆になっていてもよい。
【００３９】
さらに、意匠パネル２０は、図７及び図８に示すように、補強部材３０の一端部３１に隣接する位置に設けられ、前面パネル部２１の背面とフランジ部２２の内面とにまたがって突出する一端接触防止壁２７と、補強部材３０の他端部３２に隣接する位置に設けられ、前面パネル部２１の背面とフランジ部２２の内面とにまたがって突出する他端接触防止壁２８と、を有している。
【００４０】
本実施の形態において、一端接触防止壁２７は、補強部材３０の一端部３１側のパネル側規制固定ツメ２１ａとフランジ側規制固定ツメ２２ａとをつなぐように形成されており、他端接触防止壁２８は、補強部材３０の他端部３２側のパネル側規制固定ツメ２１ａとフランジ側規制固定ツメ２２ａとをつなぐように形成されている。
【００４１】
また、一端接触防止壁２７及び他端接触防止壁２８は、補強部材３０の断面形状に応じて形成されるものである。したがって、本実施の形態では、補強部材３０の断面Ｌ字状に応じて、一端接触防止壁２７及び他端接触防止壁２８がＬ字状に形成されている。一端接触防止壁２７の内面は、補強部材３０の短手方向に沿うＬ字状の一端面に対向しており、他端接触防止壁２８の内面は、補強部材３０の短手方向に沿うＬ字状の他端面に対向している。
【００４２】
ここで、補強部材３０の短手方向に沿う各端面と一端接触防止壁２７又は他端接触防止壁２８との距離は、金属製の補強部材３０及び樹脂製の意匠パネル２０の長手方向の寸法バラつきを考慮して、一端接触防止壁２７の内面から他端接触防止壁２８の内面までの距離が、補強部材３０の長手方向の長さよりも短くならず、かつ最小寸法となるように決定される。一端接触防止壁２７の内面から他端接触防止壁２８の内面までの距離と補強部材３０の長手方向の長さとが逆転してしまうと、補強部材３０の取り付けができなくなるためである。また、補強部材３０の短手方向に沿う各端面と一端接触防止壁２７又は他端接触防止壁２８との距離が短いほど、一端部３１又は他端部３２のエッジにユーザの手が接触するリスクを減らすことができるからである。
【００４３】
すなわち、意匠パネル２０に一端接触防止壁２７及び他端接触防止壁２８を設けた場合は、一端部３１及び他端部３２のエッジの露出を防ぐことができるため、ユーザが一端部３１及び他端部３２のエッジに触れることがなくなり、安全性を向上させることができる。
【００４４】
本実施の形態では、補強部材３０の短手方向に沿う一端面と、これに対向する一端接触防止壁２７との距離、及び補強部材３０の短手方向に沿う他端面と、これに対向する他端接触防止壁２８との距離が、何れも０．５ｍｍとなるように設計されている。
【００４５】
なお、図９に示すように、意匠パネル２０は、他端接触防止壁２８を有していなくてもよく、同様に、一端接触防止壁２７を有していなくてもよい。このようにしても、図９に示すように、パネル側規制固定ツメ２１ａ及びフランジ側規制固定ツメ２２ａは、それぞれ、補強部材３０の短手方向に沿う一端面及び他端面の一部に隣接し、一端部３１及び他端部３２を支持するように構成されているため、ユーザのエッジへの接触を抑制することができ、かつ補強部材３０の正確な位置決めを行うことができる。
【００４６】
補強部材３０は、長手方向の長さが、意匠パネル２０の長手方向の長さの７０パーセント以上となるように形成されている。本実施の形態では、長手方向の長さが８９０ｍｍの意匠パネル２０に対し、長手方向の長さが７５０ｍｍの補強部材３０を固定する例を示している。この場合、補強部材３０の長手方向の長さは、意匠パネル２０の長手方向の長さの８４パーセントとなる。
【００４７】
図１０は、図６のＤ−Ｄ線に沿った意匠パネルの概略断面図である。図１１は、図１０に示す補強部材３０の周辺部分γを拡大した説明図である。
【００４８】
ユーザは、意匠パネル２０を清掃する際、又は室内機１００のプレフィルタ（図示せず）を清掃する際等において、意匠パネル２０の開閉又は取り外しを行う。したがって、ユーザの手が縁部３３及び縁部３４に触れる場合がある。補強部材３０は、上述の通り金属製であるため、何ら加工を施さなければ、周囲にエッジが形成される。
【００４９】
そこで、本実施の形態における補強部材３０には、安全性を確保するための加工が施されている。より具体的に、補強部材３０は、図１０に示す通り、周囲のエッジが露出しないように、前面パネル部２１側の縁部３３及びフランジ部２２側の縁部３４のそれぞれに密着曲げ加工が施されている。そして、前面パネル部２１側の縁部３３は、エッジ側が前面パネル部２１の背面と接するように、前面パネル部２１側へ曲げられている。また、フランジ部２２側の縁部３４は、エッジ側がフランジ部２２の内面と接するように、フランジ部２２側へ曲げられている。もっとも、密着曲げ加工は、前面パネル部２１側の縁部３３及びフランジ部２２側の縁部３４のうちの何れか一方に施されていてもよい。
【００５０】
このように、前面パネル部２１側の縁部３３及びフランジ部２２側の縁部３４のうちの少なくとも一方に密着曲げ加工が施された補強部材３０によれば、安全性を向上させることができると共に、補強部材３０の剛性を高めることができる。
【００５１】
なお、図１１では、密着曲げ加工により折り返した縁部３３の端面３３ａと縁部３４の端面３４ａとの間に一定の距離をあけ、前面パネル部２１の背面とフランジ部２２の内面と補強部材３０との間に、長手方向に連通する間隙３５を設けた場合を例示しているが、これに限定されるものではない。つまり、端面３３ａと端面３４ａとの間の距離、すなわち、密着曲げ加工の折り曲げ分の長さは、補強部材３０に必要な剛性及び加工機の機能等に応じて適宜変更してもよく、例えば、端面３３ａと端面３４ａとの間に距離をなくし、間隙３５を設けないようにしてもよい。
【００５２】
また、補強部材３０の周端面の全てを露出させないように溝部２５を形成した場合は、安全性という観点からみれば、密着曲げ加工は不要であるとも思われるが、かかる場合であっても、剛性を高めるという意図で、前面パネル部２１側の縁部３３及びフランジ部２２側の縁部３４のうちの少なくとも一方に密着曲げ加工を施すようにしてもよい。
【００５３】
以上のように、本実施の形態における空気調和機の室内機１００は、意匠パネル２０の中央部を跨いで長手方向に延伸する形状の補強部材３０が、意匠パネル２０に対し、前面パネル部２１の背面とフランジ部２２の内面とに接する状態で固定されているため、意匠パネル２０の剛性を高めると共に、意匠パネル２０及び室内機１００の外観の意匠性を向上させることができる。
【００５４】
また、補強部材３０は、意匠パネル２０のフランジ部２２側の反りを防ぐだけの剛性を有しているため、補強部材３０を取り付けた意匠パネル２０は、中央部に浮きが生じることなく、反りのない状態を保つことができる。したがって、室内機１００によれば、意匠パネル２０の一端側及び他端側の係止突起２４を嵌め込んだだけで中央部の係止突起２４も嵌まり込むという状態を維持することができる。すなわち、補強部材３０を実装することで、意匠パネル２０の長手方向の中央部が浮き上がったり、意匠パネル２０が撓んだりすることがなくなり、外観の意匠性に優れた空気調和機の室内機１００を得ることができる。
【００５５】
ところで、意匠パネル２０の剛性を強めるためには、意匠パネルの肉厚を厚くすることが考えられるが、そうすると、意匠パネル２０の重量が増加することになる。意匠パネル２０は、室内機１００のプレフィルタの清掃時等において、開閉等を行うユーザが接触する部品であることから、安全性及び操作性を考慮すると、重量の増加は避ける必要がある。この点、本実施の形態の室内機１００では、意匠パネル２０の長手方向に沿って延伸する形状を有し、かつ樹脂よりも剛性の高い材料によって形成された補強部材３０が、意匠パネル２０に固定されているため、意匠パネル２０の肉厚を厚くすることなく、意匠パネル２０の剛性を補填し、反りを防止することができる。
【００５６】
上述した実施の形態は、空気調和機の室内機における好適な具体例であり、本発明の技術的範囲は、これらの態様に限定されるものではない。例えば、上記説明では、前面パネル部２１が２つのパネル側規制固定ツメ２１ａを有し、かつフランジ部２２が２つのフランジ側規制固定ツメ２２ａを有する場合を例示したが、これに限定されるものではない。すなわち、意匠パネル２０は、前面パネル部２１が２つのパネル側規制固定ツメ２１ａを有し、かつフランジ部２２が少なくとも１つのフランジ側固定ツメ２２ｂを有するように構成してもよい。また、意匠パネル２０は、前面パネル部２１が少なくとも１つのパネル側固定ツメ２１ｂを有し、かつフランジ部２２が２つのフランジ側規制固定ツメ２２ａを有するように構成してもよい。加えて、パネル側規制固定ツメ２１ａは、縁部３３を支持する固定ツメと、補強部材３０の短手方向に沿う一端面を支持する固定ツメとに分割されていてもよく、フランジ側規制固定ツメ２２ａは、縁部３４を支持する固定ツメと、補強部材３０の短手方向に沿う他端面を支持する固定ツメとに分割されていてもよい。上記のような各構成を採用しても、意匠パネル２０に対する補強部材３０の位置決め及び固定を円滑に行うことができる。
【００５７】
さらに、図７及び図８では、一端接触防止壁２７及び他端接触防止壁２８が、パネル側規制固定ツメ２１ａとフランジ側規制固定ツメ２２ａとをつなぐように形成された例を示しているが、これに限定されるものではない。すなわち、一端接触防止壁２７又は他端接触防止壁２８と、パネル側規制固定ツメ２１ａ及びフランジ側規制固定ツメ２２ａのうちの少なくとも一方とが、一定の距離を隔てて形成されていてもよい。
【００５８】
また、補強部材３０は、前面パネル部２１の中央部を跨いで長手方向に延伸し、前面パネル部２１の背面に接する薄板状の部材と、フランジ部２２の中央部を跨いで長手方向に延伸し、フランジ部２２の背面に接する薄板状の部材と、により構成してもよい。加えて、補強部材３０が、前面パネル部２１の中央部を跨いで長手方向に延伸する形状の部材と、前面パネル部２１の一端側において長手方向に延伸する形状部材と、前面パネル部２１の他端側において長手方向に延伸する形状の部材とからなるようにしてもよい。すなわち、意匠パネル２０の反りを防ぐ剛性を有していれば、補強部材３０は、複数に分割されていてもよい。
【００５９】
さらに、本実施の形態では、補強部材３０の材料としてステンレスを用いた場合を例示したが、意匠パネル２０の反りを防止することができる剛性を有し、かつ錆びに強いものであれば、他の材料を採用してもよい。すなわち、例えば、補強部材３０の材料として、ステンレス合金又は塗装鋼板等を選択してもよい。もっとも、補強部材３０として採用した材料の板厚は、意匠パネル２０のサイズ等に応じて適宜変更するようにしてもよい。
【００６０】
また、本実施の形態では、断面Ｌ字状に形成された補強部材３０を例示しているが、これに限定されず、補強部材３０、前面パネル部２１の背面とフランジ部２２の内面とに接する形状であれば、他の断面形状であってもよい。すなわち、補強部材３０は、全体又は局所的に湾曲した断面形状を有するように構成してもよく、前面パネル部２１の背面に接する部分とフランジ部２２の内面に接する部分との間に、折れ曲がる部分を有していなくてもよい。さらに、上記では、前面パネル部２１側の縁部３３及びフランジ部２２側の縁部３４のうちの少なくとも一方に密着曲げ加工を施した例を説明したが、これに限定されず、補強部材３０は、密着曲げ加工を施さずに形成してもよい。なお、意匠パネル２０の成形用の金型内に、予め補強部材３０をインサートしておき、当該金型内に樹脂を注入することで、意匠パネル２０と補強部材３０とを一体成形するようにしてもよい。
【００６１】
加えて、本実施の形態では、長手方向が、正面視における左右方向であり、フランジ部が、前面パネル部２１の長手方向に沿う下方の縁部に形成されている。すなわち、上記各図では、正面視において横長の矩形状である室内機１００及び意匠パネル２０を例示しているが、これに限定されず、縦長の矩形状であってもよい。また、上記各図では、意匠パネル２０が、ｚ軸正側である上部を支点として回動可能であり、かつ下部に複数の係止突起２４を有する場合を例示したが、これに限定されず、意匠パネル２０は、下部を支点として回動可能であり、かつ上部に複数の係止突起２４を有するように構成してもよい。
【符号の説明】
【００６２】
１０  基台、１１  吸込口、１２  吹出口、１３  回転支持部、１４  係止突起受け部、２０  意匠パネル、２１  前面パネル部、２１ａ  パネル側規制固定ツメ、２１ｂ  パネル側固定ツメ、２２  フランジ部、２２ａ  フランジ側規制固定ツメ、２２ｂ  フランジ側固定ツメ、２３  軸部、２４  係止突起、２５  溝部、２６  傾斜部、２７  一端接触防止壁、２８  他端接触防止壁、３０  補強部材、３１  一端部、３２  他端部、３３、３４  縁部、３３ａ、３４ａ  端面、３５  間隙、４０  風向調整板、５０  プロペラファン、６０  ファンモータ、７０  ベルマウス、８０  フィルター組立体、９０  熱交換器、１００  室内機。
【図１】
2017022133.tif 000003
【図２】
2017022133.tif 000004
【図３】
2017022133.tif 000005
【図４】
2017022133.tif 000006
【図５】
2017022133.tif 000007
【図６】
2017022133.tif 000008
【図７】
2017022133.tif 000009
【図８】
2017022133.tif 000010
【図９】
2017022133.tif 000011
【図１０】
2017022133.tif 000012
【図１１】
2017022133.tif 000013
【国際調査報告】
2017022133.tif 000014
2017022133.tif 000015
2017022133.tif 000016
2017022133.tif 000017